(57)【特許請求の範囲】
【請求項１】
エレベータの上に載置した被包装物を、包装部において水平に展張したフィルムに対して突き上げ、そのフィルムの左右及び後側を折込板により被包装物の底面に折込んだ後、被包装物を排出しながらフィルム前側の折込みを行なうストレッチ包装機において、前記フィルムの左右の折込を行なう左右両折込板を具備し、該左右両折込板をそれぞれ上段の折込板と下段の折込板とにより構成すると共に、左右折込板における上下両段の折込板を一体的に連結し、その左右折込板によるフィルムの折込量を、上段の折込板にて浅く、且つ下段の折込板にて深くし、上記左右折込板における上下両段の折込板の間に後折込板を挿入し前後移動自在に支持し、且つ、上記左右両折込板の折込作動が開始されてから後折込板が折り込むまでの間に、エレベータを降下させる手段を設けてなるストレッチ包装機。
【請求項２】
前記左右両折込板は、上段の折込板の内側縁が下段折込板の内側縁よりも外側に位置していることを特徴とする請求項１記載のストレッチ包装機。
【発明の詳細な説明】
【０００１】
【産業上の利用分野】
この発明は、ストレッチ包装機に関し、さらに詳しくは、水平に展張したフイルムに対して、被包装物を突き上げ、折込板により上記フィルムの左右及び後側を被包装物の底面に折込んだ後、被包装物を排出しながらフィルム前側の折込を行なうストレッチ包装機の改良に関する。
【０００２】
【従来の技術】
尚、本願明細書で言う前側とは商品排出側である。
従来のストレッチ包装機の中には、被包装物を包装する包装部においてフイルムを水平に展張し、該フイルムに対して、被包装物を載置したエレベータを下から上昇させることにより、上記フィルムに対して被包装物を突き上げ、上記包装部の周囲に設けた左右折込板及び後折込板により、上記フィルムの左右及び後側を被包装物の底面に折込んだ後、被包装物を排出しながらフィルム前側の折込を行なうものがある。
【０００３】
【発明が解決しようとする課題】
上記したストレッチ包装機は、フイルムの折込の際に、エレベータの上に載置される被包装物の底面に沿って、左右の折込板を水平に移動させることにより、フイルム左右の折込を行なうと共に、被包装物と上記左右折込み板との間に後折込み板を水平に入り込ませることにより、上記した如く左右に折り込んだフィルムをさらに後側から前側へ向けて折り込み、その後、被包装物を前方へ向けて排出することにより、フイルム前側の折込を行なうように構成してある。
上記ストレッチ包装機は、被包装物と上記左右折込み板との間に後折込み板を水平に入り込ませるように構成してあるため、後折込板による折込が完全に終了するまで、被包装物を下から支えるエレベータを降下させることが出来ず、この遅れから、包装の一行程を行なう処理速度が低下していた。
【０００４】
上記したエレベータの降下タイミングを早くするために、後折込板は左右両折込板の下側を通過するように構成することが考えられるが、この場合、左右折込板により被包装物の底面に折り込まれたフィルムが後折込板により折込の際に前方に集められて左右に膨らんでしまい、その後、被包装物を排出する際に集められたフィルムが左右の折込板に引っ掛かってしまう問題を生じる。
本発明の目的は、上記した如きストレッチ包装機に対して、左右折込板による折込みの直後にエレベータを降下させることのできる機能を具備せしめ、これにより包装の処理速度を向上させることにある。
【０００５】
【課題を解決するための手段】
上記した目的を達成するために本発明は、エレベータの上に載置した被包装物を、包装部において水平に展張したフィルムに対して突き上げ、そのフィルムの左右及び後側を折込板により被包装物の底面に折込んだ後、被包装物を排出しながらフィルム前側の折込みを行なうストレッチ包装機において、前記フィルムの左右の折込を行なう左右両折込板を具備し、該左右両折込板をそれぞれ上段の折込板と下段の折込板とにより構成すると共に、左右折込板における上下両段の折込板を一体的に連結し、その左右折込板によるフィルムの折込量を、上段の折込板にて浅く、且つ下段の折込板にて深くし、上記左右折込板における上下両段の折込板の間に後折込板を挿入し前後移動自在に支持し、且つ、上記左右両折込板の折込作動が開始されてから後折込板が折り込むまでの間に、エレベータを降下させる手段を設けてなるものである。
【０００６】
上記ストレッチ包装機における前記左右両折込板は、上段の折込板の内側縁が下段折込板の内側縁よりも外側に位置している構成する。
【０００７】
【作用】
以上の手段によれば、本発明のストレッチ包装機は、フィルムを包装部において水平に展張し、このフイルムに対して、エレベータ上に載置した被包装物を突き上げ、折込板によりフィルムの左右及び後側を被包装物の底面に折込み、上記被包装物を排出しながらフィルム前側の折込を行なう基本構成を有している。
上記したように、被包装物を突き上げた状態のフィルムを左右から折込む左右折込板は、上段の折込板と下段の折込板とにより構成される。また、上記上下両段の折込板の間には後折込板を挿入し前後移動自在に設けてある。
【０００８】
上記した左右両折込板を構成する上下両段の折込板は、被包装物を突き上げた状態のフィルムに対して左右から折込作動し、フイルムの左右両側をエレベータ上に載置される被包装物の底面に折り込む。この時、上段の折込板がフィルムの折込と共にエレベータ上の被包装物の下に入り込んで下から支持する。
上下両段の左右両折込板が折込作動した後、上下両段の間に設けられる後折込板が作動し、上記したように左右折込板により被包装物の底面に折り込まれたフィルムをさらに前側へ向けて折り込む。
【０００９】
左右折込板の折込作動が開始されてから後折込板が折り込むまでの間に、エレベータを降下させ、次ぎの包装行程に向けて作動させる。
後折込板によるフイルムの折込が終えた後、左右折込板により支えられる被包装物は、前方へ向けて排出されながら、前側のフィルム折込を行なってフイルムの折込を完了する。
また、被包装物底面の中央へ向けた左右折込板によるフィルムの折込量を、上段の左右折込板にて浅く、且つ下段の左右折込板にて深くしたものにおいては、上段の左右折込板による折込量が浅くなるので、被包装物を排出する際において、後折込板により前側に折り込まれたフィルム端部の引っ掛かりを低減させる。
さらに、上段の左右折込板における折込量を被包装物の前側で深く、後側にて浅くしたものにおいては、後折込板による折込の際の折込しろの幅を広く確保することができる。
【００１０】
【実施例】
以下、本発明の一実施例を図面に基づいて説明する。
図１及び図２にて示すストレッチ包装機は、機枠Ａの正面、即ち前部に被包装物を載置する載置部ａを設け、該商品載置部ａに載せた被包装物をコンベア１により機枠Ａ内部に設けたエレベータ２まで搬送する。
上記エレベータ２上方には包装部ｂが設けられ、該包装部ｂの左右両側部に、フイルム保持部３ａ，３ｂと、該フイルム保持部３ａ，３ｂからフイルムｅを水平に引き出すフィルムフィーダ６と、引き出したフイルムｅの前後左右を切断して保持するクランプ７ａ，７ｂ，８ａ，８ｂを設けてある。
また、フイルム保持部３の上には左右折込板４ａ，４ｂと後折込板５とを配設してある。
【００１１】
上記したようにエレベータ２に載せられた被包装物は、エレベータの上昇により上記包装部ｂに展張されたフイルムｅに対して突き上げられ、引き伸ばされた状態のフイルムｅの端部を、上記左右折込板４ａ，４ｂと後折込板５とにより、被包装物の底面に折り込んだ後、排出プッシャー９により被包装物を機枠Ａ前側の排出部ｃへ向けて水平に押動させながら、上記フィルムｅの前側端部を折り込んでフィルムの折込を行なう。
【００１２】
図４は被包装物を載置する載置部ａを構成するコンベア１、及びエレベータ２を示している。コンベア１は、搬送方向へ向けて所定の間隔を置いて設けた駆動ローラ１１ａと分割ローラ１１ｂとの間に、４本の無端ベルト１１ｃを平行に架設することにより構成してある。各無端ベルト１１ｃは幅方向に定間隔を置いて配置され、始端部における各無端ベルト１１ｃの間には被包装物を載置する受け部材１３を設け、これら受け部材１３により載置された被包装物を下から支承するように構成してある。
また、上記各無端ベルト１１ｃの外周には被包装物に当接する押し片１２を横一線に並ぶ状態で付設し、上記各受け部材１３の上に載置した被包装物の端部を上記押し片１２にて受け止めながら搬送するように構成してある。
尚、上記コンベア１の一側には光センサ１５が設けられ、上記コンベア１の上を移動する被包装物の縦、横、高さを検出し、後述する制御手段（図示せず）へ向けてその検出情報を出力する。また、制御手段は、上記検出情報に基づいてフィルムｅの大きさを選択する。
【００１３】
上記コンベア１の終端部に接続される形で設置されるエレベータ２は、５本の支持部材２１を所定間隔を置いて垂直に立設して成り、これら各支持部材２１の上面を面一状に一致させ、上記した各無端ベルト１１ｃの間に挿入させて配置することにより、各コンベア１により搬送された被包装物を上記各支持部材２１にて構成される受け面にて受取るように成っている。また、上記エレベータ２は、一体化した各支持部材２１を昇降機構（図示せず）でもって支持することにより、降下位置であるコンベア１終端部と上昇位置である包装部ｂとの間を昇降するように構成してある。
【００１４】
図２及び図５にて示すように、上記エレベータ２の直上で且つ包装部ｂの左右両側部に対応する位置には、フィルムｅの保持部３ａ，３ｂを設けてある。
本実施例におけるストレッチ包装機はサイズの異る２本のフィルムロールｅ１，ｅ２を機枠Ａの左右に分けて一本ずつ配置してあり、これら両フィルムロールｅ１，ｅ２から引き出したフィルムｅを上記保持部３ａ，３ｂによって夫々保持している。
両保持部３ａ，３ｂは全く同様に構成され、機枠Ａ内の左右両側部に対向する状態で設置してある。尚、上記保持部３ａ，３ｂは全く同様に構成してあるので、右側の保持部３ａに基づいてその構造を説明する。
【００１５】
図５にて示すように、保持部３ａは、平面略櫛形に形成される２枚の保持板３１を若干の間隙を介して重ね合わせた状態で機枠Ａに対して水平に取付支持してある。フィルムロールｅ１から引き出されたフィルムｅは、ロール３２を迂回させて上記両支持板３１の間に外側から挿入され、櫛形に切断される内側縁部までに引き出された状態で保持される。
また、上記左右両保持部３ａ，３ｂよりも幾分低いレベルには、２本のガイド軸３５が保持部３ａ，３ｂの幅よりも幾分大きな間隔をおいて平行に取付支持してある。
上記したガイド軸３５は、フィーダ６と左右のクランプ７ａ，７ｂの両端貫挿して摺動自在に支持することにより、上記フィーダ６と左右両クランプ７ａ，７ｂを、夫々フィルムｅの引出し方向へ向けて水平に摺動移動するようにガイドするものである。
【００１６】
フィーダ６は、タイミングベルト等を利用した駆動機構（図示せず）によって、上記ガイド軸３５に沿って左右両方向に摺動移動し、右側若しくは左側のどちらか一方の保持部３ａ，３ｂにて保持されるフィルムｅを選択的に掴持し、中央へ向けて引き出すものである。フィーダ６は、左右両ガイド軸３５の間に跨ぐ連結部材６１の下面に沿って支軸６２を軸支し、該支軸６２に沿って掴持板６３を一体的に取り付け、揺動自在に支持している。即ち、フィルムｅは、上記フィーダ６によりコンベア１終端部上を横切るように引き出されることになる。
掴持板６３は、左右両側縁部を夫々櫛歯状に切欠形成し、これらの櫛歯部の各凸部が、前記したごとく櫛歯形に形成した保持部３ａ及び３ｂの対応する間隙に入り込むように構成してある。
【００１７】
上記掴持板６３は中央部の支軸６２を支点として右側及び左側にシーソーのように回動し、連結部材６１の右縁及び左縁と接触してフィルムｅを掴持する。また、掴持板６３の凸部の上面にはそれぞれ滑べり止め部材６３ａが付設され、上記した如き掴持板６３の回動に伴って、上記滑べり止め部材６３ａと連結部材６１下面との間でフイルムｅを掴持するように成っている。
また、上記掴持板６３の支軸６２の一端部には回動アーム６２ａが取り付けられ、該回動アーム６２ａの先端に駆動シリンダ６４を連結し、この駆動シリンダ６４の伸縮作動により上記支軸６２及び掴持板６３が右側若しくは左側へ選択的に回動するように構成してある。
【００１８】
上記右クランプ７ａは、フィーダ６が右側の保持部３ａにて保持されるフイルムｅの先端部を掴持して水平に引出した後、引き出されたフィルムｅの右端を掴持すると共に、その掴持位置にてフィルムｅをカットするものであり、フィルムｅの掴持機構と共にカッター７４を具備している。
【００１９】
右グランプ７ａは、連結部材７２の左右両端部に設けたブロック７２ａに両ガイド軸３５を貫挿させることにより、上記ガイド軸３５に沿って摺動移動自在に支持すると共に、タイミングベルト等を利用した駆動機構（図示せず）によって、上記フィーダ６と同様にガイド軸３５に沿って左右両方向に摺動移動する。
上記した左右のブロック７２ａの間には、上記したフィーダ６の支軸６２と同様な駆動機構により回動する支軸７３を架設し、連結部材７２の下面に沿って配置してある。上記支軸７３には断面クランク形に折曲させた掴持板７１の基端を取付け、該掴持板７１の先端側縁をフィーダ６へ向けて状態で回動自在に支持する。上記掴持板７１は基端の支軸７３を支点として上下に回動し、上昇時に連結部材７２の縁部と接触してフィルムフィーダ６により引き出されたフイルムｅの後端部を掴持する。
また、上記掴持板７１の中間部に沿ってはカッター７４を設け、上記したように掴持板７１がフィルムｅの後端部を掴持するのと同時にフィルムｅの掴持部の後側を上記カッター７４で切断するように構成してある。
【００２０】
また、上記した左クランプ７ｂは、フィルムフィーダ６により左側の保持部３ｂにて保持されるフイルムｅが水平に引出された後、そのフィルムｅの左端を掴持し、その掴持位置にてフィルムｅをカットするものであり、上記右クランプ７ａと全く同様に構成され、ガイド軸３５上におけるフィルムフィーダ６の左側に設置される。
【００２１】
図１、図２及び図４にて示すように、機枠Ａ内に置ける上記左右クランプ７ａ，７ｂと同ベルの前後部には前クランプ８ａと後クランプ８ｂとが設けてある。上記前後両クランプ８ａ，８ｂは、上記したようにフィルムフィーダ６と左右何れかのクランプ７ａ，７ｂとの間で保持したフィルムｅの前端部及び後端部を掴持するものである。夫々のクランプ８ａ，８ｂは共に、ガイド軸３５と平行に伸びる帯状の上板８２と、該上板８２に対して下から当接する昇降体８１とにより構成され、これら８１，８２の両端部を図４にて示すようにコンベア１と平行に設置したガイド軸８３，８４に貫挿することにより前後方向へ摺動自在に支持してある。
【００２２】
上記前後両クランプ８ａ，８ｂの昇降体８１は、ガイド軸８３の間にわたって架設される取付板８１ａの上に設置したシリンダロツド８１ｂの作動により昇降作動し、上昇した際に上板８２の下面に当接し、両者８１，８２の間でフィルムｅを掴持する。また、前後両クランプ８ａ，８ｂの昇降体８１と上板８２とは、ガイド軸８３，８４の側方に沿って設けるタイミングベルト等の駆動機構により夫々同期した状態で前後に移動する。
よって、左右のフィルムロールｅ１若しくはｅ２から引き出されたフィルムｅは、フィーダ６と左右何れかのクランプ７ａ，７ｂによって左右両端を掴持されると共に、上記した前後両クランプ８ａ，８ｂにより前端部と後端部を掴持され、四辺部を掴持された状態で包装部ｂの下で水平に展張された状態で保持される。
【００２３】
包装部ｂにおける上記左右クランプ７ａ，７ｂ及び前後両クランプ８ａ，８ｂの上部には、被包装物の突き上げにより引き伸ばされた状態のフィルムｅの左右端部及び後端を、被包装物底面に折む左右折込板４ａ，４ｂと後折込板５とが設置してある。
図１乃至図３にて示すように、左右一対の折込板４ａ，４ｂを具備している。左右両折込板４ａ，４ｂは、夫々上段折込板４２と下段折込板４１とを小間隙を介して重ね合わせることにより構成してある。
図３にて示すように、左右折込板４ａ，４ｂの下段折込板４１は、前後方向に伸びる帯状の板であり、その前後両端部に機枠ａの左右側面間にわたって２本平行に取付支持したガイド軸４３を貫挿することにより、両折込板４１が相互間の平行を維持しながら左右両側から中央へ向けて水平に移動するように構成してある。
【００２４】
左右両折込み板４ａ，４ｂの下段折込板４１の上に設ける上段折込４２は、下段折込板４１と同様な帯状板からなり、その前後両端部を下へ向けて折曲させ、上記下段折込板４１に対して止着することにより、下段折込板４１の上に小間隙４５を介して重ね合わせ一体化してある。
また、上記上段折込板４２の内側縁には切欠４４を切欠形成してある。
上記切欠４４は、上段折込板４２の前側から後側へ向けてテーパ状に切欠幅が大きくなるように形成してある。
上記切欠４４の平面形状によれば、上段折込板４２におけるフィルムｅの折込量が前側で深く、後側で浅くなるようになる。
上記した切欠４４は、フィルムｅ折込時に生じる引っ掛かりやフイルム接着面の確保を考慮したものであるが、その説明は後で述べる。
【００２５】
上記左右折込板４ａ，４ｂの上下両段の折込板４１，４２間の小間隙４５には左右幅方向方向に伸びる後折込板５を嵌装してある。
後折込み板５は、左右折込板４ａ，４ｂの外側に沿って取付支持したガイド軸４６に左右両端部を嵌挿することにより水平に支持され、上下両段の折込板４１，４２間の小間隙４５内に沿って前後に摺動移動する。
尚、上記した後折込板５と左右両折込板４ａ，４ｂの駆動は、夫々のガイド軸４３，４６に沿って設けた駆動ベルト等からなる駆動機構（図示せず）により行なう。
【００２６】
また、上記後折込板５の上には排出プッシャー９を設けてある。排出プッシャー９は、後折込板５の上を後側から前側へむけて水平移動するように構成され、包装部ｂにてフィルムｅの左右端部及び後端部の折込を終えた被包装物を機枠Ａ前面側の排出部ｃへ向けて水平に押し出す。
尚、上記した如く構成したストレッチ包装機において、コンベア１、エレベター２、フィルムフィーダ６、左右クランプ７ａ，７ｂ、前後クランプ８ａ，８ｂ、左右折込板４ａ，４ｂ、後折込板５、排出プッシャー９の作動は、マイクロコンピュータ等により構成される制御部（図示せず）によって制御するものであり、例えば図２０のタイムチャートにて示すように、上記各駆動部を所定のイミングにて作動せしめることにより、載置部ａ５載置した被包装物を所定の作動行程に沿って包装する。
【００２７】
次に上記したストレッチ包装機の作動を図６乃至図２０にて示す包装行程を追って説明する。
尚、本実施例にて示す被包装物ｆは、トレイに食品などを載せた状態のものである。
作業者は、包装機前面に突出する載置部ａに被包装物ｆを載置する。載置部ａを構成する受け部材１３の上に載置された被包装物ｆは、作動するコンベア１の無端ベルト１に付設される押し片１２により後から押されて水平に押し出され、無端ベルト１１ｃの載ってエレベータ２の上まで搬送される（図６）。
上記したようにコンベア１上を被包装物ｆが搬送される際、コンベア１の一側部に設けたセンサ１５により被包装物ｆの縦、横、高さのサイズが測定され、その検出信号を制御部（図示せず）へ向けて出力する。また、制御部はセンサによる被包装物ｆの寸法情報に基づいてフィルムｅを引き出すフイルムｅ１，ｅ２の選択、即ちフィルムサイズの選択を行なう。
【００２８】
これと同時に、フィーダ６が選択されたフイルムｅ２の先端を掴持するため、保持部３ｂへ向けて移動する（図７）。尚、この説明では左側のフイルムｅ２を選択したが、反対に右側のフイルムｅ１を選択した場合は、図８にて示すようにフィーダ６が右側の保持部３ａへ向けて移動することになる。
左端まで移動したフィーダ６は、保持部３ｂにて保持されるフィルムｅの端部を掴持し、中央へ向けて引き出す（図１０）。
フィーダ６によりフィルムｅの端部が中央へ引き出された時、左クランプ７ｂがガイド軸３５に沿って左側の保持部３ｂの前まで移動する（図１１）。
保持部３ｂの前まで移動した左クランプ７ｂは水平に引き出されたフイルムｅの左端をクランプする（図１２）。左クランプ７ｂによるクランプと同時に、カッター７４により上記フィルムｅの左端が切断される。
【００２９】
次いで、切断したフイルムｅの左右両辺部を掴持するフィーダ６と左側クランプ７ｂとは更に右へ向けて移動し、掴持したフイルムｅを包装部ｂの中央に合わせる（図１３）。この時、フィーダ６と左クランプ７ｂとは、最初にフィルムｅを掴持した時よりも広い間隔を置いて停止し、これにより掴持したフィルムｅを左右方向に引っ張って適度な張力を与える。
さらに、前後両クランプ８ａ，８ｂが作動し、上記したフィルムｅの前後両辺部をクランプする（図１４）。これにより切断フィルムｅは四辺をクランプされた状態となる。
そして、被包装物ｆを載せたエレベータ２が上昇し、包装部ｂにて展張されたフィルムｅへ向けて突き上げられる（図１５及び図１６）。尚、エレベータ２に載って上昇した被包装物ｆは、トレイの底面が、左右折込板４ａ，４ｂの上段折込板４２と略同じレベルに位置する状態となる。
【００３０】
次いで、左右両折込板４ａ，４ｂが作動し、エレベータ２の上昇により被包装物ｆが突き上げられた状態のフイルムｅに対して、左右両側から水平に折込作動して、フィルムｅの左右両側端を被包装物ｆの底面に折込む。左右折込板４ａ，４ｂの上段折込板４２は、フィルムｅの折込と共にエレベータ２上の被包装物ｆの下に入り込み、エレベーダ２に代って被包装物ｆを下から支持する。
また、エレベーダ２は、上段折込板４２による被包装物ｆの支持と同時に降下を開始し、次ぎに搬送されてくる被包装物ｆをコンベア１の終端部にて待つ（図１７）。尚、エレベータ２を降下させるタイミングは、被包装物ｆが左右両折込板４ａ，４ｂにより支えられた瞬間から後折込板５が被包装物ｆの直下に位置する前までの間に設定し、その作動制御は前記したように制御部（図示せず）にて行なう。
【００３１】
その直後、左右両折込板４ａ，４ｂの上下両段の折込板４１，４２の間に設けられる後折込板５が作動し、左右両側部を被包装物ｆの底面に折り込んだ状態のフィルムｅを後から前へ向けて折り込み、その際、後クランプ８ｂ、さらに左クランプ７ｂとフィルムフィーダ６が、夫々に掴持していたフィルムｅの後端部、左右両端部を開放する（図１８）。
図１７にて示す折込作動時において、上段折込板４２の内側縁が下段折込板４１の内側縁よりも外側に位置するように構成してある。
その結果、包装部ｂ中央へ向けた上段折込板４２によるフィルムｅの折込量は、上段折込板４２にて浅く、下段折込板４１にて深く折り込まれるようになり、これにより、後折込板５により前側に折り込まれた際に生じるフィルムｅ端部の集まりが被包装物ｆの排出時に上段折込板４２への引っ掛かりを低減させることができる。
【００３２】
また、前から後へ向けてテーパ状に広がる切欠４４の平面形状によれば、上段折込板４２におけるフィルムｅの折込量が前側で深く、後側で浅くなるようになる。その結果、後折込板５によるフィルムｅ端部の折込の際の折込しろの幅を広く確保し、折しろ部分における接着面積を十分に確保すことができる。
上記したように後折込板５が左右折込板４ａ，４ｂの前端部まで移動した後、排出プッシャー９が作動し、左右折込板４ａ，４ｂの上にある被包装物ｆを前方の排出部ｃへ向けて水平に押し出し、さの最中に前クランプ８ａが掴持していたフィルムｅの前端部を開放する（図１９）。これにより、被包装物ｆの底面にフィルムｅの左右端及び前後端が１８０゜折り返されて被包装物ｆの底面に付着する。
【００３３】
折込が終えて排出部ｃに置かれた被包装物ｆは、作業者が取り上げ、その底面部をヒートシール部ｄに押し当てて加熱、接着する。
尚、上記した実施例においては、左右両折込板４ａ，４ｂの上下両段の折込板４１，４２を一体的に連結固定したが、上記した上段折込板及び下段折込み板は、分離した状態で支持し、別々に作動させてもよい。
また、上記実施例の上段折込板４ａ，４ｂはテーパ状の切欠４４を形成することにより、フイルムｅを後側で浅く折り込むように構成したが、左右折込板の上段折込板は、板の前端部を枢支して水平面に沿って回動しながら折込作動するように支持し、これにより、上記実施例と同様にフイルムｅの後側を浅く折込むように構成してもよい。
【００３４】
【発明の効果】
本発明は以上説明したように、左右折込板を上下両段の左右折込板を重ね合わせ、これら上下両段の左右折込板の間を後折込板が移動するように構成したものであるから、左右折込板の折込作動と同時にエレベータ上の被包装物を上段の左右折込板により支え、従来のもののように後折込板による折込作動を待つことなく即座にエレベータの降下開始し、次ぎの包装行程へ向けて移動させる。その結果、包装速度の処理速度を向上させることができる。また、後折込板は被包装物に当ることがないのでスムーズに折り込める。
しかも、被包装物底面の中央へ向けた左右折込板によるフィルムの折込量を、上段の左右折込板にて浅く、且つ下段の左右折込板にて深くしたことにより、被包装物排出時において、後折込板により前側に折り込まれたフィルム端部の上段の左右折込板の引っ掛かりを有効に防止することができる。
更に、左右折込板を構成する上下段の両折込板を一体的に連結したことにより、上下両段の左右両折込板を重ね合わせて構成する左右折込板の構造を合理的に簡素化し、故障発生の低減とコストの低下を図ることができる。
【００３５】
請求項２のように、左右両折込板を、上段の折込板の内側縁が下段折込板の内側縁よりも外側に位置している構成することで、前記した左右折込板によるフィルムの折込動作を確実に行うことができる。
【図面の簡単な説明】
【図１】    本発明を実施したストレッチ包装機を示す縦断側面図。
【図２】    図１におけるII-II 線断面図。
【図３】    包装部の左右折込み板及び後折込板を示す斜視図。
【図４】    コンベア及びエレベータ部を示す斜視図。
【図５】    フィルムフィーダ及び左右クランプを示す斜視図。
【図６】    被包装物を載置したコンベア部を示す側面図。
【図７】    左側の保持部を示す縦断正面図。
【図８】    右側の保持部を示す縦断正面図。
【図９】    フィルム端部をフィルムフィーダにより掴持した状態を示す左側保持部の縦断正面図。
【図１０】    フイルム端部を引き出した状態を示す保持部の縦断正面図。
【図１１】    フィルムフィーダによりフィルムを包装部に引き出した状態を示す縦断正面図。
【図１２】    左クランプによりフィルムの左端を切断した状態を示す縦断正面図。
【図１３】    フィルムフィーダと左クランプにより掴持したフィルムを包装部にてセンタリングした状態を示す縦断正面図。
【図１４】    上記フィルムの後端部を後クランプにて掴持した状態を示す縦断正面ず。
【図１５】    包装部に展張したフイルムに対して被包装物を突き上げた状態を示す縦断正面。
【図１６】    同状態の縦断側面図。
【図１７】    左右折込板を作動させた状態を示す縦断正面図。
【図１８】    後折込み板を作動させた状態を示す縦断側面図。
【図１９】    排出プッシャーにより被包装物を排出した状態を示す縦断側面図。
【図２０】    各作動部の一行程を示すタイムチャート。
【符号の説明】
Ａ・・・機枠
ａ・・・載置部
ｂ・・・包装部
ｃ・・・排出部
ｅ・・・フィルム
１・・・コンベア
２・・・エレベータ
３ａ，３ｂ・・・保持部
４ａ，４ｂ・・・左右折込板
５・・・後折込板
６・・・フィルムフィーダ
７ａ，７ｂ・・・左右クランプ
８ａ，８ｂ・・・前後クランプ
９・・・排出クランプ
４１・・・下段折込板
４２・・・上段折込板
【図１】
0003733603.tif 000002
【図２】
0003733603.tif 000003
【図３】
0003733603.tif 000004
【図４】
0003733603.tif 000005
【図５】
0003733603.tif 000006
【図６】
0003733603.tif 000007
【図７】
0003733603.tif 000008
【図８】
0003733603.tif 000009
【図９】
0003733603.tif 000010
【図１０】
0003733603.tif 000011
【図１１】
0003733603.tif 000012
【図１２】
0003733603.tif 000013
【図１３】
0003733603.tif 000014
【図１４】
0003733603.tif 000015
【図１５】
0003733603.tif 000016
【図１６】
0003733603.tif 000017
【図１７】
0003733603.tif 000018
【図１８】
0003733603.tif 000019
【図１９】
0003733603.tif 000020
【図２０】
0003733603.tif 000021